(57)【要約】【課題】像担持体及び中間転写体に潤滑剤を塗布する中間転写方式の画像形成装置において、濃度低下や細線再現不良、虫喰い等の発生を高精度に防止することができるようにする。【解決手段】中間転写ベルト１０の摩擦レベルを中間転写体駆動モータ１２０の電流値によって把握し、その値が閾値を超えたら第二潤滑剤塗布装置を中間転写ベルト１０に当接させる。像担持体駆動モータの電流値がある値よりも多くなった場合、すなわち、感光体ドラム４０の摩擦係数が大きくなった場合、制御手段１５２は第二潤滑剤塗布装置を中間転写ベルト１０に当接させる閾値の値を大きくする。感光体ドラム４０の摩擦係数も考慮した潤滑剤塗布が可能なので、感光体ドラムの摩擦係数＜中間転写ベルトの摩擦係数という関係を保つことができる。【選択図】図１
2009103839.tif 000002
【特許請求の範囲】
【請求項１】
像担持体と、中間転写体と、前記像担持体に形成されたトナー像を前記中間転写体に転写するための一次転写手段と、前記中間転写体に転写されたトナー像を記録媒体に転写するための二次転写手段と、前記像担持体上の一次転写後の残トナーを除去する像担持体クリーニング手段と、前記像担持体に潤滑剤を塗布する第一潤滑剤塗布手段と、二次転写後の前記中間転写体上の残トナーを除去する中間転写体クリーニング手段と、前記中間転写体に潤滑剤を塗布する第二潤滑剤塗布手段と、前記像担持体を駆動する像担持体駆動モータと、前記中間転写体を駆動する中間転写体駆動モータと、を備えた画像形成装置において、
前記第一潤滑剤塗布手段と前記第二潤滑剤塗布手段のうち少なくとも一方が前記像担持体又は前記中間転写体に対して接離自在に設けられ、
前記像担持体駆動モータの駆動負荷を検知する像担持体駆動負荷検知手段と、
前記中間転写体駆動モータの駆動負荷を検知する中間転写体駆動負荷検知手段と、
これらの駆動負荷検知手段からの検知情報に基づいて前記接離自在に設けられた潤滑剤塗布手段の接離動作を制御する制御手段と、を有し、
前記制御手段は、前記接離自在に設けられた潤滑剤塗布手段を当接状態とするか離間状態とするかを選択するための前記像担持体又は前記中間転写体の駆動負荷の閾値を、互いに他方の駆動負荷に応じて変更することを特徴とする画像形成装置。
【請求項２】
請求項１記載の画像形成装置において、
前記像担持体が複数設けられているとともに、これに対応して前記第一潤滑剤塗布手段が複数設けられ、各前記第一潤滑剤塗布手段はそれぞれ対応する前記像担持体に対して接離自在に設けられていることを特徴とする画像形成装置。
【請求項３】
請求項１又は２記載の画像形成装置において、
前記像担持体駆動負荷検知手段と前記中間転写体駆動負荷検知手段がそれぞれ、駆動負荷として、前記像担持体駆動モータ、前記中間転写体駆動モータの電流値を検知することを特徴とする画像形成装置。
【請求項４】
請求項１〜３のいずれか１つに記載の画像形成装置において、
前記第一潤滑剤塗布手段又は前記第二潤滑剤塗布手段の接離動作の切り換えを、画像形成を行っている時以外に実行させることを特徴とする画像形成装置。
【請求項５】
請求項１〜４のいずれか１つに記載の画像形成装置において、
前記潤滑剤は脂肪酸金属塩であって、脂肪酸金属塩の金属が、亜鉛、鉄、カルシウム、アルミニウム、リチウム、マグネシウム、ストロンチウム、バリウム、セリウム、チタン、ジルコニウム、鉛、マンガンの中から選択される金属であって、脂肪酸金属塩の脂肪酸が、ラウリル酸、ステアリン酸、パルミチン酸、ミステリン酸、オレイン酸の中から選択される少なくとも一つ以上の脂肪酸であることを特徴とする画像形成装置。
【請求項６】
請求項１〜５のいずれか１つに記載の画像形成装置において、
使用するトナーの平均円形度が０．９０〜０．９９であることを特徴とする画像形成装置。
【請求項７】
請求項１〜５のいずれか１つに記載の画像形成装置において、
使用するトナーの形状係数ＳＦ−１が１２０〜１８０であり、形状係数ＳＦ−２が１２０〜１９０であることを特徴とする画像形成装置。
【請求項８】
請求項１〜５のいずれか１つに記載の画像形成装置において、
使用するトナーのＤｖ／Ｄｎが１．０５〜１．３０であることを特徴とする画像形成装置。
【発明の詳細な説明】
【技術分野】
【０００１】
本発明は、複写機、プリンタ、ファクシミリ、プロッタ、これらのうち少なくとも１つを備えた複合機等の画像形成装置に関し、詳しくは、像担持体及び中間転写体に潤滑剤を塗布する機能を有する画像形成装置に関する。
【背景技術】
【０００２】
従来より、電子写真方式を利用した画像形成装置においては、トナー像の一次転写及び二次転写時の転写不良を防止する為、または、転写残トナーのクリーニング性を向上させるために、像担持体（中間転写体も含む）の表面に潤滑剤を塗布してトナーとの付着力を低減させる技術が知られている。
特に、特許文献１や特許文献２等で提案されているように、潤滑剤塗布手段の前後にクリーニングブレードを配置してある構成では、印刷する画像比率によって潤滑剤の塗布量に差を生じさせない、像担持体に対して潤滑剤の均一な層形成が行える等の利点がある。
特許文献３には、感光体に接触して回転する部材の駆動電流値や駆動負荷を検出して感光体表面の摩擦状態を把握し、検出値に応じて潤滑剤の塗布量を制御する技術が開示されている。
【０００３】
【特許文献１】特開２００１−３０５９０７号公報
【特許文献２】特開２００５−７０２７６号公報
【特許文献３】特開平８−３０５２３６号公報
【発明の開示】
【発明が解決しようとする課題】
【０００４】
ところで、潤滑剤は像担持体に対してやみくもに塗布すれば良いのではなく、適正量塗布することが必要である。例えば、像担持体が感光体の場合、潤滑剤の塗布量が多く感光体表面の摩擦係数が小さくなり過ぎると現像されるトナーが付着しにくくなり、濃度低下、特に細線の再現性が悪化する等の不具合が生じる。
また，像担持体が中間転写体の場合、中間転写体表面の摩擦係数が感光体表面の摩擦係数より小さくなると、感光体から中間転写体へのトナーの転写がされにくくなり、特に細線の虫喰い（中抜け状転写抜け）等が発生する。
つまり、感光体表面の摩擦係数はある値以上とする必要があり、更に、中間転写体表面の摩擦係数は感光体表面の摩擦係数より少し大きめにするのが理想的な関係である。
【０００５】
本発明は、中間転写方式の画像形成装置において、像担持体と中間転写体との間における適正な摩擦レベルの関係を維持でき、細線の再現性の良好な画像形成装置の提供を、その主な目的とする。
【課題を解決するための手段】
【０００６】
上記目的を達成するために、請求項１記載の発明では、像担持体と、中間転写体と、前記像担持体に形成されたトナー像を前記中間転写体に転写するための一次転写手段と、前記中間転写体に転写されたトナー像を記録媒体に転写するための二次転写手段と、前記像担持体上の一次転写後の残トナーを除去する像担持体クリーニング手段と、前記像担持体に潤滑剤を塗布する第一潤滑剤塗布手段と、二次転写後の前記中間転写体上の残トナーを除去する中間転写体クリーニング手段と、前記中間転写体に潤滑剤を塗布する第二潤滑剤塗布手段と、前記像担持体を駆動する像担持体駆動モータと、前記中間転写体を駆動する中間転写体駆動モータと、を備えた画像形成装置において、前記第一潤滑剤塗布手段と前記第二潤滑剤塗布手段のうち少なくとも一方が前記像担持体又は前記中間転写体に対して接離自在に設けられ、前記像担持体駆動モータの駆動負荷を検知する像担持体駆動負荷検知手段と、前記中間転写体駆動モータの駆動負荷を検知する中間転写体駆動負荷検知手段と、これらの駆動負荷検知手段からの検知情報に基づいて前記接離自在に設けられた潤滑剤塗布手段の接離動作を制御する制御手段と、を有し、前記制御手段は、前記接離自在に設けられた潤滑剤塗布手段を当接状態とするか離間状態とするかを選択するための前記像担持体又は前記中間転写体の駆動負荷の閾値を、互いに他方の駆動負荷に応じて変更することを特徴とする。
【０００７】
請求項２記載の発明では、請求項１記載の画像形成装置において、前記像担持体が複数設けられているとともに、これに対応して前記第一潤滑剤塗布手段が複数設けられ、各前記第一潤滑剤塗布手段はそれぞれ対応する前記像担持体に対して接離自在に設けられていることを特徴とする。
請求項３記載の発明では、請求項１又は２記載の画像形成装置において、前記像担持体駆動負荷検知手段と前記中間転写体駆動負荷検知手段がそれぞれ、駆動負荷として、前記像担持体駆動モータ、前記中間転写体駆動モータの電流値を検知することを特徴とする。
【０００８】
請求項４記載の発明では、請求項１〜３のいずれか１つに記載の画像形成装置において、前記第一潤滑剤塗布手段又は前記第二潤滑剤塗布手段の接離動作の切り換えを、画像形成を行っている時以外に実行させることを特徴とする。
請求項５記載の発明では、請求項１〜４のいずれか１つに記載の画像形成装置において、前記潤滑剤は脂肪酸金属塩であって、脂肪酸金属塩の金属が、亜鉛、鉄、カルシウム、アルミニウム、リチウム、マグネシウム、ストロンチウム、バリウム、セリウム、チタン、ジルコニウム、鉛、マンガンの中から選択される金属であって、脂肪酸金属塩の脂肪酸が、ラウリル酸、ステアリン酸、パルミチン酸、ミステリン酸、オレイン酸の中から選択される少なくとも一つ以上の脂肪酸であることを特徴とする。
【０００９】
請求項６記載の発明では、請求項１〜５のいずれか１つに記載の画像形成装置において、使用するトナーの平均円形度が０．９０〜０．９９であることを特徴とする。
請求項７記載の発明では、請求項１〜５のいずれか１つに記載の画像形成装置において、使用するトナーの形状係数ＳＦ−１が１２０〜１８０であり、形状係数ＳＦ−２が１２０〜１９０であることを特徴とする。
請求項８記載の発明では、請求項１〜５のいずれか１つに記載の画像形成装置において、使用するトナーのＤｖ／Ｄｎが１．０５〜１．３０であることを特徴とする。
【発明の効果】
【００１０】
本発明によれば、例えば、第二潤滑剤塗布手段を中間転写体に当接状態とするか離間状態とするかの選択を、中間転写体を駆動するモータの駆動負荷（例えば電流値）を検知して、その検知結果に基づいて行うようにし、その際、像担持体を駆動するモータの電流値に応じて第二潤滑剤塗布手段の接離を実行させる中間転写体駆動モータ電流値の閾値を変化させるようにしている。
これにより、像担持体の摩擦係数＜中間転写体の摩擦係数という関係が成り立つように中間転写体への潤滑剤塗布が行えるので、濃度低下や細線再現不良、虫喰い等の発生を防止することができる。
【発明を実施するための最良の形態】
【００１１】
以下、本発明の実施形態を図を参照して説明する。
まず、図１乃至図５に基づいて第１の実施形態を説明する。図１は本発明を適用しうる画像形成装置の一例を示す図である。
同図において符号１００は画像形成装置としてのタンデム型中間転写式の電子写真装置本体、２００は該装置本体を載せる給紙テーブルをそれぞれ示している。添え字Ｙ、Ｍ、Ｃ、Ｋは、イエロー、シアン、マゼンタ、ブラック（黒）の各色をそれぞれ示す。その他の符号は以下の説明中で直接参照する。
装置本体１００には、中央付近に、無端ベルト状の中間転写体としての中間転写ベルト１０が設けられている。中間転写ベルト１０は、複数の支持ローラ１４、１５、１６に掛け回されて図中時計回り方向に回転搬送可能となっている。
【００１２】
図中、支持ローラ１６の左側には、中間転写体クリーニング手段としてのクリーニング装置１７が設けられている。クリーニング装置１７は画像転写後に中間転写ベルト１０上に残留する残留トナーを除去する。
支持ローラ１４と支持ローラ１５間に張り渡した中間転写ベルト１０上には、その搬送方向に沿って、イエロー、マゼンタ、シアン、ブラックの４つの画像形成手段１８Ｙ、１８Ｍ、１８Ｃ、１８Ｋ（以下１８Ｙ、Ｍ、Ｃ、Ｋのように略記する。）が横に並べて配置され、タンデム画像形成装置２０が構成されている。
タンデム画像形成装置２０の上には、露光装置２１が設けられている。タンデム画像形成装置２０の各画像形成手段１８は、イエロー、マゼンタ、シアン、ブラックの各色トナー像を担持する像担持体としての感光体ドラム４０Ｙ、４０Ｍ、４０Ｃ、４０Ｋを有している。
感光体ドラム４０Ｙ、４０Ｍ、４０Ｃ、４０Ｋから中間転写ベルト１０にトナー像を転写する一次転写位置には、中間転写ベルト１０を間に挟んで各感光体ドラム４０Ｙ、４０Ｍ、４０Ｃ、４０Ｋに対向するように一次転写手段の構成要素としての一次転写ローラ６２Ｙ、６２Ｍ、６２Ｃ、６２Ｋが設けられている。
【００１３】
支持ローラ１４は中間転写ベルト１０を回転駆動する駆動ローラである。ブラック単色画像を中間転写ベルト１０上に形成する場合には、駆動ローラ１４以外の支持ローラ１５、１５’を移動させて、イエロー、シアン、マゼンタの感光体４０Ｙ、４０Ｍ、４０Ｃを中間転写ベルト１０から離間させることも可能である。
なお、本発明の実施は、本実施形態のようなタンデム型ではなく、感光体が一つしかない装置においても可能である。
中間転写ベルト１０を挟んでタンデム画像形成装置２０と反対の側には、二次転写手段としての２次転写装置２２が備えられている。２次転写装置２２は、図示例では、２次転写対向ローラ１６に２次転写ローラ１６’を押し当て転写電界を印加することで中間転写ベルト１０上の画像を記録媒体としての図示しないシートＳに転写する。
２次転写装置２２の横には、シート上の転写画像を定着する定着装置２５が設けられている。定着装置２５は、無端ベルトである定着ベルト２６に加圧ローラ２７を押し当てて構成されている。
画像転写後のシートは、搬送ベルト２４により定着装置２５へと搬送される。搬送ベルト２４は固定されたガイド部材でも良い。
２次転写装置２２および定着装置２５の下には、上述したタンデム画像形成装置２０と略平行に、シートの両面に画像を記録すべくシートを反転するシート反転装置２８が備えられている。
【００１４】
装置本体１００に画像データが送られ、作像開始の信号を受けると、中間転写体駆動モータ１２０で支持ローラ１４が回転駆動され、他の複数の支持ローラが従動回転して、中間転写ベルト１０を回転搬送する。同時に、個々の画像形成手段１８で各感光体４０上にそれぞれ、イエロー、シアン、マゼンタ、ブラックの単色画像を形成する。
中間転写ベルト１０の搬送とともに、それらの単色画像を転写部６２で順次転写して中間転写ベルト１０上に合成カラー画像を形成する。
また、給紙テーブル２００の給紙ローラ４２の１つが選択回転され、ペーパーバンク４３に多段に備える給紙カセット４４の１つからシートが繰り出され、分離ローラ４５で１枚ずつ分離されて給紙路４６に入れられ、搬送ローラ対４７で搬送されて装置本体１００内の給紙路４８に導かれ、レジストローラ対４９に突き当てて止められる。
または、給紙ローラ５０が回転して手差しトレイ５１上のシートが繰り出され、分離ローラ５２で１枚ずつ分離されて手差し給紙路５３に入れられ、同じくレジストローラ対４９に突き当てて止められる。
【００１５】
中間転写ベルト１０上の合成カラー画像にタイミングを合わせてレジストローラ対４９が回転し、中間転写ベルト１０と２次転写装置２２との間にシートを送り込み、２次転写装置２２で転写してシート上にカラー画像を記録する。
画像転写後のシートは、２次転写装置２２で搬送されて定着装置２５へと送り込まれ、定着装置２５で熱と圧力とを加えられて転写画像を定着されて後、不図示の切換爪で切り換えられて排出ローラ対５６で排出され、排紙トレイ５７上にスタックされる。
または、不図示の切換爪で切り換えられてシート反転装置２８に入れられ、そこで反転して再び転写位置へと導かれ、裏面にも画像を記録して後、排出ローラ対５６で排紙トレイ５７上に排出される。
一方、画像転写後の中間転写ベルト１０は、中間転写ベルト用のクリーニング装置１７で中間転写ベルト１０上に残留する残留トナーを除去され、また、感光体ドラム４０Ｙ、４０Ｍ、４０Ｃ、４０Ｋは、像担持体クリーニング手段としてのクリーニング装置１９Ｙ、１９Ｍ、１９Ｃ、１９Ｋで感光体上に残留するトナーをそれぞれ除去され、再度の画像形成に備える。
【００１６】
次に本発明の要旨をなす中間転写ベルト用のクリーニング装置１７の構成を図２、図３にて詳細に説明する。
クリーニング装置１７は、中間転写体である中間転写ベルト１０を懸架しているローラの一つである２次転写対向ローラ１６の下流側に中間転写ベルト１０に対向して配置されている。
中間転写ベルト１０の回転方向上流側から、クリーニング装置１７からのトナー飛散を防止するための入口シール１０１、中間転写ベルト１０の回転方向とはカウンター方向に回転する第１ブラシローラ１０２、中間転写ベルト１０上の転写残トナーを除去する第１クリーニングブレード１０３、中間転写ベルト１０に潤滑剤１０７を塗布するための第２ブラシローラ１０４、中間転写ベルト１０に塗布された潤滑剤を薄層化するための第２クリーニングブレード１０５が配置されている。
第１クリーニングブレード１０３は中間転写ベルト１０に対して付勢部材（バネ）１０９により付勢され、第２クリーニングブレード１０５は中間転写ベルト１０に対して付勢部材（バネ）１１０により付勢される。
クリーニング装置１７の最下部には廃トナーをクリーニング装置外に排出するための廃トナー搬送コイル１０６が設けられている。第１のクリーニングブレード１０３及び第２のクリーニングブレード１０５の中間転写ベルト１０を介した対向位置にはクリーニング対向ローラ１１１、１１２が設けられている。
【００１７】
潤滑剤１０７、潤滑剤加圧スプリング１０８、第２ブラシローラ１０４、第２クリーニングブレード１０５等は、クリーニング装置１７内でサブユニット化されて、中間転写ベルト１０に潤滑剤を塗布する第二潤滑剤塗布装置１７’を構成し、図中略水平方向に移動可能な構成となっている。
通常は不図示の加圧手段により中間転写ベルト１０から退避した位置(図２に示す離間位置)にあり、上記加圧手段の一部をなすカム１１３が半回転することで中間転写ベルト１０に当接する位置（図３に示す当接位置）に移動する。
なお、第１のクリーニングブレード１０３、第２のクリーニングブレード１０５の対向部材への食い込み量は、見かけ上の食い込み量を表示している。
【００１８】
潤滑剤１０７は潤滑剤加圧スプリング１０８により第２ブラシローラ１０４に適正圧で加圧される。潤滑剤１０７の材料は脂肪酸金属塩であって、脂肪酸金属塩の金属が、亜鉛、鉄、カルシウム、アルミニウム、リチウム、マグネシウム、ストロンチウム、バリウム、セリウム、チタン、ジルコニウム、鉛、マンガン、の中から選択される金属であって、脂肪酸金属塩の脂肪酸が、ラウリル酸、ステアリン酸、パルミチン酸、ミステリン酸、オレイン酸の中から選択される少なくとも一つ以上の脂肪酸である。
特に、像担持体の摩擦を低減する効果の大きいステアリン酸亜鉛、ステアリン酸カルシウムが一層好ましい。
図１に示すように、中間転写体駆動モータ１２０には中間転写体駆動負荷検知手段としての電流計１５０が接続されており、電流計１５０は図示しないＡ／Ｄコンバータを介して制御手段１５２に接続されている。
【００１９】
図４に基づいて感光体ドラム４０をクリーニングするためのクリーニング装置１９の構成等を説明する。
クリーニング装置１９は、感光体ドラム４０の回転方向上流側から、クリーニング装置１９からのトナー飛散を防止するための入口シール１２１、感光体ドラム４０の回転方向とはカウンター方向に回転する第１ブラシローラ１２２、感光体ドラム４０上の転写残トナーを除去する第１クリーニングブレード１２３、感光体ドラム４０に潤滑剤１２７を塗布するための第２ブラシローラ１２４、感光体ドラム４０に塗布された潤滑剤を薄層化するための第２クリーニングブレード１２５が配置されている。
クリーニング装置１９の最下部には廃トナーをクリーニング装置外に排出するための廃トナー搬送コイル１２６が設けられている。
潤滑剤１２７は潤滑剤加圧スプリング１２８により第２ブラシローラ１２４に適正圧で加圧される。
図４において、符号２は感光体ドラム４０を帯電する帯電手段を、Ｌｂは露光光を示している。
【００２０】
潤滑剤１２７、潤滑剤加圧スプリング１２８、第２ブラシローラ１２４、第２クリーニングブレード１２５等は、クリーニング装置１９内でサブユニット化されて、感光体ドラム４０に潤滑剤を塗布する第一潤滑剤塗布装置１９’を構成し、不図示の接離手段によって感光体ドラム４０に対して接離可能となっている。
感光体ドラム４０は像担持体駆動モータ１３０で回転駆動され、像担持体駆動モータ１３０には像担持体駆動負荷検知手段としての電流計１５４が接続されており、電流計１５４は図示しないＡ／Ｄコンバータを介して制御手段１５２に接続されている。
【００２１】
次に、本実施形態の制御動作を、図１〜図５にて説明する。
プリント信号が入り、中間転写ベルト１０が中間転写体駆動モータ１２０により回転されると、同時に電流計１５０を介して中間転写体駆動モータ１２０の電流値がモニタされる。
中間転写ベルト１０の摩擦係数（摩擦レベル）が大きくなると中間転写体駆動モータ１２０の電流値もアップするので、電流値をモニタすることで中間転写ベルト１０の摩擦レベル（中間転写体駆動モータ１２０の駆動負荷レベル）を把握することができる。
制御手段１５２の図示しないメモリには、中間転写ベルト１０の表面摩擦レベルを良好に保つために予め設定した閾値Ａが記憶されている。制御手段１５２は、電流計１５０により検知された電流値が閾値Ａを超えているかどうかをチェックし、超えていない場合は、第二潤滑剤塗布装置１７’を退避位置のままとし、閾値Ａを超えた場合はカム１１３を半回転して第二潤滑剤塗布装置１７’を中間転写ベルト１０に当接させる。
【００２２】
第二潤滑剤塗布装置１７’を当接させると中間転写体駆動モータ１２０の駆動負荷は増大するので、閾値Ａとは別に閾値Ｂが設けられており、電流値がこの閾値Ｂを下回らない間は当接のままとし、下回った場合に第二潤滑剤塗布装置１７’を退避させる。
ここで、閾値Ａ、Ｂはデフォルトとして予め設定した値となっているが、像担持体駆動モータ１３０の電流値に応じてその値を変化させる。
例えば、像担持体駆動モータ１３０の電流値がある値よりも多くなった場合、すなわち、感光体ドラム４０の摩擦係数が大きくなった場合、制御手段１５２は第二潤滑剤塗布装置１７’を中間転写ベルト１０に当接させる閾値Ａの値を大きくする（高めに設定する）。
これにより、中間転写ベルト１０の摩擦係数に応じた潤滑剤１０７の塗布が可能であると同時に、感光体ドラム４０の摩擦係数も考慮した潤滑剤塗布が可能であるので、「感光体ドラムの摩擦係数＜中間転写ベルトの摩擦係数」という関係を保つことができる。
本実施形態では潤滑剤を薄層化するための第２のクリーニングブレード１０５を用いているが、これが無い場合でも同様に実施できる。
【００２３】
上記にて説明した第二潤滑剤塗布装置１７’の当接・退避の切り換えタイミングは、画像形成を行っていないタイミング(潜像形成、一次転写、二次転写のどれも行っていないタイミング)で実施される（第２の実施形態）。
これにより、画像形成中に接離動作による振動や速度変動の影響を出ないようにして、色ズレや帯状スジ等の不具合の発生を抑制することができる。
すなわち、潤滑剤塗布手段の接離動作を行うと機械的振動が発生し、それが像担持体への書き込みを行っている際に像担持体に伝わると静電潜像に乱れが生じる。
また、潤滑剤塗布手段の当接時及び離間時には、潤滑剤塗布手段が当接する像担持体または中間転写体の速度変動が生じてしまうため(当接時には速度が遅く、離間時には速度が速くなってしまう)、色ズレや画像の伸び縮み(特にハーフトーン部では帯状の黒スジまたは白スジ)が発生してしまう場合がある。
本実施形態では、モータ電流値が閾値を超えた時点で潤滑剤塗布手段の接離の切り換えを直ちに実行させるのではなく、それが画像形成を行っているタイミングであった場合には、それ以降の画像形成を行っていないタイミング(潜像形成、一次転写、二次転写のどれも行っていないタイミング)で実行させる。
それによって、接離動作に伴う振動や速度変動の影響を無くし、色ズレや帯状スジの発生を防止することができる。
【００２４】
上記各実施形態では、中間転写ベルト１０に対する第二潤滑剤塗布装置１７’の接離制御を行う閾値Ａを、感光体ドラム４０の摩擦係数の変化（像担持体駆動モータ１３０の電流値の変化）に応じて変更することにより、「感光体ドラムの摩擦係数＜中間転写ベルトの摩擦係数」という関係を保つようにしたが、感光体ドラム４０に対する第一潤滑剤塗布装置１９’の接離制御を行うための閾値（閾値Ａに相当）を、中間転写ベルト１０の摩擦係数の変化（中間転写体駆動モータ１２０の電流値の変化）に応じて変更することによっても同様の効果を得ることができる（第３の実施形態）。
本実施形態では、「像担持体の摩擦係数＜中間転写体の摩擦係数」という関係が成り立つように感光体ドラム４０への潤滑剤塗布が行えるので、濃度低下や細線再現不良、虫喰い等の発生を防止することができる。
特に像担持体が色毎に複数色のステーションある場合には、ステーション毎に摩擦係数の状態が異なることがあるので、ステーション毎に潤滑剤の適正塗布を行うことができる。
【００２５】
上記各実施形態では、像担持体、中間転写体の摩擦レベルを、像担持体駆動モータ１３０、中間転写体駆動モータ１２０の電流値を検出して判断することとしたが、モータのトルクを検出して判断するようにしてもよい。
【００２６】
以下に、本発明（上記各実施形態）に好適に用いられるトナーについて説明する。
（円形度および円形度分布）
本発明におけるトナーは特定の形状と形状の分布を有することが重要であり、平均円形度が０．９０未満で、球形からあまりに離れた不定形の形状のトナーでは、満足した転写性やチリのない高画質画像が得られない。
なお形状の計測方法としては粒子を含む懸濁液を平板上の撮像部検知帯に通過させ、ＣＣＤカメラで光学的に粒子画像を検知し、解析する光学的検知帯の手法が適当である。この手法で得られる投影面積の等しい相当円の周囲長を実在粒子の周囲長で除した値である平均円形度が０．９０〜０．９９のトナーが適正な濃度の再現性のある高精細な画像を形成するのに有効であることが判明した。
【００２７】
より好ましくは、平均円形度が０．９３〜０．９７で円形度が０．９４未満の粒子が１０％以下である。また、平均円形度が０．９９を越えた場合、ブレードクリーニングなどを採用しているシステムでは、感光体上および転写ベルトなどのクリーニング不良が発生し、画像上の汚れを引き起こす。
例えば、画像面積率の低い画像を出力する場合、転写残トナーが少なく、クリーニング不良が問題となることはないが、カラー写真画像など画像面積率の高い画像を出力する場合、さらには、給紙不良等で未転写の状態の画像が感光体上に残ってしまった場合、クリーニング不良が発生しやすい。上述したクリーニング不良を頻発するようになると、更には、感光体を接触帯電させる帯電ローラ等を汚染してしまい、本来の帯電能力を発揮できなくなってしまう。
【００２８】
（円形度の測定方法）
フロー式粒子像分析装置ＦＰＩＡ−２１００（東亜医用電子株式会社製）により平均円形度として計測できる。具体的な測定方法としては、容器中の予め不純固形物を除去した水１００〜１５０ｍｌ中に分散剤として界面活性剤、好ましくはアルキルベンゼンスフォン酸塩を０．１〜０．５ｍｌ加え、更に測定試料を０．１〜０．５ｇ程度加える。試料を分散した懸濁液は超音波分散器で約１〜３分間分散処理を行い、分散液濃度を３０００〜１万個／μｌとして前記装置によりトナーの形状及び分布を測定することによって得られる。
【００２９】
（形状係数ＳＦ−１、ＳＦ−２）
ここでいう形状係数ＳＦ−１（図面ではＳＦ１と表示）とは、図６に示すように、球形物質の形状の丸さの割合を示す値であり、球形物質を２次元平面上に投影して出来る楕円状図形の最大長ＭＸＬＮＧの二乗を図形面積ＡＲＥＡで割って、１００π／４を乗じたときの値で表される。つまり、形状係数ＳＦ−１は、次式、
ＳＦ−１＝｛（ＭＸＬＮＧ）２／ＡＲＥＡ｝×（１００π／４）
で定義されるものである。
このＳＦ−１の値が１００の場合には、物質の形状が真球状となり、ＳＦ−１の値が大きくなるほど、物質の形状は不定形となる。
【００３０】
また、形状係数ＳＦ−２（図面ではＳＦ２と表示）は、図７に示すように、物質の形状の凹凸の割合を示す数値であり、物質を２次元平面上に投影してできる図形の周長ＰＥＲＩの二乗を図形面積ＡＲＥＡで割って、１００／４πを乗じたときの値で表される。つまり、形状係数ＳＦ−２は、次式、
ＳＦ−２＝｛（ＰＥＲＩ）２／ＡＲＥＡ｝×（１００／４π）で定義されるものである。
ＳＦ−２の値が１００の場合には、物質の表面に凹凸が存在しないことになり、ＳＦ−２の値が大きくなるほど、物質の表面の凹凸は顕著となる。
【００３１】
なお、本発明の実施の形態では、日立製作所製ＦＥ−ＳＥＭ（Ｓ−８００）を用い、トナー像を１００回無作為にサンプリングし、その画像情報は、ニレコ社製画像解析装置（ＬＵＳＥＸ３）に導入して解析を行い、上式より算出したものである。
トナーの形状が球形に限りなく近づく（ＳＦ−１、ＳＦ−２ともに１００に近づく）と、転写効率が高くなることが本発明者の検討により明らかになった。これは、形状効果によりトナー粒子と該トナー粒子と接触するモノ（トナー粒子同士、像担持体等）との間では点接触しかしないために、トナー流動性が高まったり、像担持体等に対する吸着力（鏡映力）が弱まって、転写電界の影響を受けやすくなるためと考えられる。
一方、トナーの形状が球形に近づくと、メカ的なクリーニング（ブレードクリーニング等）に対して不利に働く。
このことは上述したように、トナー流動性が高まったり、像担持体等に対する吸着力（鏡映力）が弱まって、クリーニング部材と像担持体との僅かな間隙を容易にトナーが通過してしまう。よってクリーニング性の面からは、トナーの形状としては、ある程度異形化（ＳＦ−１の値が１００より大きくなる方向）していたり、ある程度凸凹（ＳＦ−２の値が１００より大きくなる方向）していた方が好ましい。
以上の観点から、本発明では、ＳＦ−１を１２０〜１８０、ＳＦ−２を１２０〜１９０と規定している。
【００３２】
（Ｄｖ／Ｄｎ（体積平均粒径／個数平均粒径の比））
Ｄｖ／Ｄｎとは、トナーの粒度分布を表すパラメータの一つである。
トナーの体積平均粒径（Ｄｖ）が４〜８μｍであり、個数平均粒径（Ｄｎ）との比（Ｄｖ／Ｄｎ）が１．０５〜１．３０、好ましくは１．１０〜１．２５である乾式トナーによると、トナーの粒度分布が狭くなるため、以下のメリットが発生する。
トナー粒径面での選択現像（画像パターンに応じた（適した）トナー粒径を持つトナー粒子が選択的に現像される）といった現象が発生しにくいため、常時、安定した画像を形成することができる。
トナーリサイクルシステムを塔載している場合、転写されにくい小サイズのトナー粒子が量的に多くリサイクルされることになるが、もともとトナーの粒度分布が狭いため、上述した作用を受けにくく、このことからも常時、安定した画像を形成することができる。
【００３３】
二成分現像剤においては、長期に亘るトナーの収支が行われても、現像剤中のトナー粒子径の変動が少なくなり、現像装置における長期の攪拌においても、良好で安定した現像性が得られる。
一成分現像剤として用いた場合においても、トナーの収支が行われても、トナーの粒子径の変動が少なくなると共に、現像ローラへのトナーのフィルミングや、トナーを薄層化する為のブレード等の部材へのトナーの融着がなく、現像装置の長期の使用（攪拌）においても、良好で安定した現像性及び画像が得られた。
【００３４】
一般的には、トナーの粒子径は小さければ小さい程、高解像で高画質の画像を得る為に有利であると言われているが、逆に転写性やクリーニング性に対しては不利である。また、本発明の範囲よりも体積平均粒子径が小さい場合、二成分現像剤では現像装置における長期の攪拌においてキャリアの表面にトナーが融着し、キャリアの帯電能力を低下させたり、一成分現像剤として用いた場合には、現像ローラへのトナーのフィルミングや、トナーを薄層化する為のブレード等の部材へのトナーの融着を発生させやすくなる。
また、これらの現象は微粉の含有率が本発明の範囲より多いトナーにおいても同様である。
【００３５】
逆に、トナーの粒子径が本発明の範囲よりも大きい場合には、高解像で高画質の画像を得ることが難しくなると共に、現像剤中のトナーの収支が行われた場合にトナーの粒子径の変動が大きくなる場合が多い。また、体積平均粒子径／個数平均粒子径が１．３０よりも大きい場合も同様であることが明らかとなった。
また、体積平均粒子径／個数平均粒子径が１．０５より小さい場合には、トナーの挙動の安定化、帯電量の均一化の面から好ましい面もあるが、細線部分を小サイズ粒子で現像、一方、ベタ画像を大サイズ粒子を中心に現像するといったトナー粒径による機能分離ができにくくなるため、かえって好ましくない。
【００３６】
（トナー粒径に関わる測定方法）
コールターカウンター法によるトナー粒子の粒度分布の測定装置としては、コールターカウンターＴＡ−ＩＩやコールターマルチサイザーＩＩ（いずれもコールター社製）があげられる。以下に測定方法について述べる。
まず、電解水溶液１００〜１５０ｍｌ中に分散剤として界面活性剤（好ましくはアルキルベンゼンスルフォン酸塩）を０．１〜５ｍｌ加える。ここで、電解液とは１級塩化ナトリウムを用いて約１％ＮａＣｌ水溶液を調製したもので、例えばＩＳＯＴＯＮ−ＩＩ（コールター社製）が使用できる。
ここで、更に測定試料を２〜２０ｍｇ加える。試料を懸濁した電解液は、超音波分散器で約１〜３分間分散処理を行い、前記測定装置により、アパーチャーとして１００μｍアパーチャーを用いて、トナー粒子又はトナーの体積、個数を測定して、体積分布と個数分布を算出する。
得られた分布から、トナーの体積平均粒径（Ｄｖ）、個数平均粒径（Ｄｎ）を求めることができる。チャンネルとしては、２．００〜２．５２μｍ未満；２．５２〜３．１７μｍ未満；３．１７〜４．００μｍ未満；４．００〜５．０４μｍ未満；５．０４〜６．３５μｍ未満；６．３５〜８．００μｍ未満；８．００〜１０．０８μｍ未満；１０．０８〜１２．７０μｍ未満；１２．７０〜１６．００μｍ未満；１６．００〜２０．２０μｍ未満；２０．２０〜２５．４０μｍ未満；２５．４０〜３２．００μｍ未満；３２．００〜４０．３０μｍ未満の１３チャンネルを使用し、粒径２．００μｍ以上乃至４０．３０μｍ未満の粒子を対象とする。
【図面の簡単な説明】
【００３７】
【図１】本発明の第１の実施形態に係る画像形成装置の全体構成図である。
【図２】中間転写体に対して第二潤滑剤塗布装置が離間している状態を示す要部拡大図である。
【図３】中間転写体に対して第二潤滑剤塗布装置が当接している状態を示す要部拡大図である。
【図４】タンデム画像形成部における１つの画像形成手段の構成を示す拡大図である。
【図５】潤滑剤塗布手段の接離制御動作を示すフローチャートである。
【図６】形状係数ＳＦ−１を説明するためのトナー形状の模式図である。
【図７】形状係数ＳＦ−２を説明するためのトナー形状の模式図である。
【符号の説明】
【００３８】
１０  中間転写体としての中間転写ベルト
１７  中間転写体クリーニング手段
１７’  第二潤滑剤塗布手段
１９  像担持体クリーニング手段
１９’  第一潤滑剤塗布手段
２２  二次転写手段としての二次転写装置
４０  像担持体としての感光体ドラム
６２  一次転写手段としての一次転写ローラ
１２０  中間転写体駆動モータ
１３０  像担持体駆動モータ
１５０  中間転写体駆動負荷検知手段としての電流計
１５２  制御手段
１５４  像担持体駆動負荷検知手段としての電流計
【図１】
2009103839.tif 000003
【図２】
2009103839.tif 000004
【図３】
2009103839.tif 000005
【図４】
2009103839.tif 000006
【図５】
2009103839.tif 000007
【図６】
2009103839.tif 000008
【図７】
2009103839.tif 000009